(57)【特許請求の範囲】
【請求項１】
熱可塑性樹脂のフィラメントを不規則に接点で接触絡合させたカール状のスプリング構造を有し、
線径φ０．１〜２．０ｍｍであり、
押出方向に疎の構成単位と密の構成単位を繰り返し設ける第１立体疎密構造を有し、
該第１立体疎密構造において、前記疎の構成単位の嵩密度が０．０１〜０．０８ｇ／ｃｍ３、前記密の構成単位の嵩密度が０．０３〜０．０９ｇ／ｃｍ３、前記疎の構成単位の嵩密度に対する前記密の構成単位の嵩密度の比率が１．０１〜５、前記疎の構成単位の押出方向での長さが１〜５０ｃｍ、前記密の構成単位の押出方向での長さが３〜６０ｃｍ、長さの比率が０．１〜１０であり、
厚さ方向に疎の構成単位と密の構成単位を設ける第２立体疎密構造を有し、
該第２立体疎密構造において、前記疎の構成単位の嵩密度が０．０１〜０．０８ｇ／ｃｍ３、前記密の構成単位の嵩密度が０．０３〜０．０９ｇ／ｃｍ３、前記疎の構成単位に対する前記密の構成単位の嵩密度の比率が１．０１〜５、前記疎の構成単位の厚さが０．５〜１０ｃｍ、前記密の構成単位の厚さが２〜３０ｃｍ、前記疎の構成単位に対する前記密の構成単位の厚さの比率が０．２〜６０であり、
前記押出方向に対して直交する方向に疎の構成単位と密の構成単位を繰り返し設ける第３立体疎密構造を有し、
該第３立体疎密構造において、前記疎の構成単位の嵩密度が０．０１〜０．０７ｇ／ｃｍ３、前記密の構成単位の嵩密度が０．０１２８〜０．０９ｇ／ｃｍ３、前記疎の構成単位の嵩密度に対する前記密の構成単位の嵩密度の比率が１．０１〜５、前記疎の構成単位の幅が４０〜１００ｃｍ、前記密の構成単位の幅が４〜３０ｃｍ、前記疎の構成単位の幅に対する前記密の構成単位の幅の比率が０．０２〜３０であり、
該第３立体粗密構造において、前記疎の構成単位は第１の疎の構成単位と、前記第１の疎の構成単位の両側に設けられ、前記第１の疎の構成単位よりも嵩密度の小さい第２の疎の構成単位を有し、前記第２の疎の構成単位の幅は前記第１の疎の構成単位より狭く、
前記第１立体疎密構造、前記第２立体疎密構造、及び前記第３立体疎密構造により、疎の構成単位同士による複数の交差立体領域を有する三次元網状構造体からなる介護マットレス。
【請求項２】
前記第２立体疎密構造において、前記密の構成単位を表面層に設ける請求項１の介護マットレス。
【請求項３】
前記第２立体疎密構造において、前記密の構成単位を中間層に設け、疎の構成単位を表面層に設ける請求項１の介護マットレス。
【発明の詳細な説明】
【技術分野】
【０００１】
本発明は、三次元網状構造体を備える介護ベッドに関するものである。
【背景技術】
【０００２】
モーター駆動式介護用ベッドは、近年、技術の進展が進み、主に、背上げ機能、高さ調節機能、膝上げ機能の3つの機能を一部又は全部備えたものが販売されている。また、介護ベッドのモーターで駆動されるが、その種類としては、1モーターベッド、2モーターベッド、3モーターベッド、4モーターベッド等が販売され、ベッドに搭載されているモーターの数によって機能性が異なる。最近では、モーター数が多く、多段階で変形できる介護ベッドが要望されている。【０００３】
このような介護ベッドに使用される三次元構造体に関連して、特許文献１〜４の発明が提案されている。【０００４】
特許文献１に示す発明は、ベッド用クッションのシームレスな構造を実現し、クッション同士のずれと、クッション間の段差をなくし、軽量化を実現することを課題として、熱可塑性樹脂を原料又は主原料とし、押し出し成形によってループ状に無秩序に絡まり合い部分的に熱接着する連続中空線条又は中実線条から構成されるスプリング構造の立体網状構造体であり、該立体網状構造体の下面から上面に向かって短手方向に貫通する複数の連続溝を長手方向に沿って所定間隙又は適宜間隙で形成し、該立体網状構造体が上方に屈曲するときに該溝が拡開することを特徴とするスプリング構造のベッド用クッションが提案されている。【０００５】
特許文献２に示す発明は、ギャッジ性に優れているマットレス用中材及びそれを用いたマットレスを提供するため、マットレス用中材は、三次元網状構造体からなる層を複数積層させた積層体であって、前記三次元網状構造体からなる各層が、前記積層体の一方の端部において、連続的にあるいは断続的に固定され、他方の端部は固定されていないことを特徴とする。【０００６】
特許文献３に示す発明は、熱可塑性樹脂から構成される三次元網状構造体を円滑に曲げることを目的として、せん断速度に対してスウェル比が依存するポリエチレンから製造され、フィラメントを不規則に接触絡合させたカール状のスプリング構造を有し、押し出し方向に対して横方向に立体筋状疎密構造を有し、線径φ０．２〜１．３ｍｍ、嵩密度０．０１〜０．２ｇ／ｃｍ３である三次元網状構造体であり、前記スウェル比が、温度１９０℃、管内径Ｄ１がφ１．０ｍｍ、長さ１０ｍｍのキャピラリーから溶融した前記ポリエチレンを押し出し、押し出された該ポリエチレンの前記フィラメントを冷却し、該フィラメントの切断面の直径をＤ２としたとき、せん断速度に対してＤ２／Ｄ１で表されるものである。【０００７】
特許文献４に示す発明は、熱可塑性樹脂から構成される三次元網状構造体を円滑に曲げることを目的として、せん断速度に対してスウェル比が依存するポリエステルから製造され、フィラメントを不規則に接触絡合させたカール状のスプリング構造を有し、押し出し方向に対して横方向に立体筋状疎密構造を有し、線径φ０．２〜１．３ｍｍ、嵩密度０．０１〜０．２ｇ／ｃｍ３である三次元網状構造体であり、前記スウェル比が、温度２１０℃、管内径Ｄ１がφ１．０ｍｍ、長さ１０ｍｍのキャピラリーから溶融した前記ポリエステルを押し出し、押し出された該ポリエステルの前記フィラメントを冷却し、該フィラメントの切断面の直径をＤ２としたとき、せん断速度に対してＤ２／Ｄ１で表されるものである。
【先行技術文献】
【特許文献】
【０００８】
【特許文献１】特開２００６−６９２４号公報
【特許文献２】特開２００８−２９５８２４号公報
【特許文献３】国際公開WO2013/088736号公報
【特許文献４】国際公開WO2013/088737号公報
【発明の概要】
【発明が解決しようとする課題】
【０００９】
しかしながら、最近、医療用、一般用マットレスも、単純な背上げだけではなく、３つ以上のモーターを使い、背中、足の部分、また、食事などで使用者が複雑な動きをするため、今までの三次元網状構造体では、複雑な動きに対応できないことが表れてきた。特に、誤瞭性肺炎などを起こさないためには、人体を特定の角度でホールドすることも必要であり、三次元網状構造体の縦と横の滑らかな動き、ベッド本体への動きの追従が必要になる。【００１０】
特許文献１では、ベッド用クッションを部分的に多数段階で切断する必要があり、また、曲げ特性も円滑で十分なものではなかった。特許文献２ないし４では、ベッド本体の複雑な動きに追従する性能、円滑に多段階にマットレスを曲げる性能については、未だ十分ではなく、介護ベッドの駆動底板とマットレスとの間に隙間を生じ追従性の課題があった。複数のモーターを用いて複雑に駆動底板を駆動する介護ベッドに対して、これに適合するマットレスが要望されている。【００１１】
そこで、本発明は、熱可塑性樹脂から構成される三次元網状構造体を有する介護ベッドを、モータによるベッド本体の複雑な動き、使用者の特定の動きに対応させ、介護ベッドへの追従性を高めることを目的とする。
【課題を解決するための手段】
【００１２】
本発明は、熱可塑性樹脂のフィラメントを不規則に接点で接触絡合させたカール状のスプリング構造を有し、線径φ０．１〜２．０ｍｍであり、押出方向に疎の構成単位と密の構成単位を繰り返し設ける第１立体疎密構造を有し、該第１立体疎密構造において、前記疎の構成単位の嵩密度δ１が０．０１〜０．０８ｇ／ｃｍ３、前記密の構成単位の嵩密度δ２が０．０３〜０．０９ｇ／ｃｍ３、前記疎の構成単位の嵩密度に対する前記密の構成単位の嵩密度の比率δ２／δ１が１．０１〜５、好ましくは、１．０３〜４、特に好ましくは１．０５〜３、前記疎の構成単位の押出方向での長さＡ１が１〜５０ｃｍ、好ましくは１〜３０ｃｍ、前記密の構成単位の押出方向での長さＡ２が３〜６０ｃｍ、好ましくは３〜３０ｃｍ、長さの比率Ａ２／Ａ１が０．１〜１０、好ましくは０．２〜８、特に好ましくは０．５〜５であり、厚さ方向に疎の構成単位と密の構成単位を設ける第２立体疎密構造を有し、該第２立体疎密構造において、前記疎の構成単位の嵩密度δ３が０．０１〜０．０８ｇ／ｃｍ３、前記密の構成単位の嵩密度δ４が０．０３〜０．０９ｇ／ｃｍ３、前記疎の構成単位に対する前記密の構成単位の嵩密度の比率δ４／δ３が１．０１〜５、好ましくは、１．１〜４、特に好ましくは、１．１５〜２、前記疎の構成単位の厚さが０．５〜１０ｃｍ、前記密の構成単位の厚さが２〜３０ｃｍ、前記疎の構成単位に対する前記密の構成単位の厚さの比率が０．２〜６０であり、前記押出方向に対して直交する方向に疎の構成単位と密の構成単位を繰り返し設ける第３立体疎密構造を有し、該第３立体疎密構造において、前記疎の構成単位の嵩密度が０．０１〜０．０７ｇ／ｃｍ３、前記密の構成単位の嵩密度が０．０１２８〜０．０９ｇ／ｃｍ３、前記疎の構成単位の嵩密度に対する前記密の構成単位の嵩密度の比率が１．０１〜５、前記疎の構成単位の幅が４０〜１００ｃｍ、前記密の構成単位の幅が４〜３０ｃｍ、前記疎の構成単位の幅に対する前記密の構成単位の幅の比率が０．０２〜３０であり、該第３立体粗密構造において、前記疎の構成単位は第１の疎の構成単位と、前記第１の疎の構成単位の両側に設けられ、前記第１の疎の構成単位よりも嵩密度の小さい第２の疎の構成単位を有し、前記第２の疎の構成単位の幅は前記第１の疎の構成単位より狭く、前記第１立体疎密構造、前記第２立体疎密構造、及び前記第３立体疎密構造により、疎の構成単位同士による複数の交差立体領域を有する三次元網状構造体を備えることを特徴とする介護マットレスである。
【００１３】
本発明は、前記第２立体疎密構造において、前記密の構成単位を表面層に設ける。【００１４】
前記第２立体疎密構造において、前記密の構成単位を中間層に設け、疎の構成単位を表面層に設ける。【００１６】
前記熱可塑性樹脂は、ポリエチレン（ＰＥ）、ポリプロピレン（ＰＰ）、ポリエステル系熱可塑性エラストマー（TPEE、TPC）等が例示される。また、上記の原料にオレフィン、プロピレンと相溶性のあるエラストマーを配合させたものも使われる。この素材は透明性が高く、マットレス中材についた汚れを容易に発見できる。また、配合比率を変えることで弾力性を調整出来る。【００１７】
三次元網状構造体のヒステリシスロスは２０〜８０％であることが好ましい。【００１８】
ポリエチレンを用いる場合、具体的には、一般的なポリエチレン、直鎖状低密度ポリエチレン（ＬＬＤＰＥ）、超低密度ポリエチレン（ＶＬＰＥ）等が挙げられる。ポリエチレン原料の密度は０．８２〜０．９５ｇ／ｃｍ３であることが好ましく、０．８５〜０．９４ｇ／ｃｍ３であることがより好ましい。【００１９】
ポリエステルを用いる場合、主として、結晶性芳香族ポリエステル単位からなる高融点結晶性重合体セグメント（ａ）と、主として脂肪族ポリエーテル単位および／または脂肪族ポリエステル単位からなる低融点重合体セグメント（ｂ）とを主たる構成成分とするポリエステルブロック共重合体（Ａ）である三次元網状構造体が例示される。【００２０】
熱可塑性樹脂として、特許文献３，４に記載の特定範囲のスウェル比の熱可塑性樹脂を採用してもよい。【００２１】
フィラメントは中実でも中空でもどちらでもよい。
【発明の効果】
【００２２】
本発明は、第１立体疎密構造及び第２立体疎密構造の疎の構成単位同士による複数の交差立体領域を有するので、モーターで駆動底板を駆動する介護ベッドへの追従性を高めることができる。介護ベッドの背上げの動作に対して介護ベッドの駆動底板と三次元網状構造体の底面の隙間が少なくなる。介護ベッドの仕様に対して三次元網状構造体の粗密を調整することができるので、一般の介護ベッドのほかに病院でも利用できる。【００２３】
本発明は、第１立体疎密構造、第２立体疎密構造及び第３立体粗密構造の疎の構成単位同士による複数の交差立体領域を有するので、モーターで駆動底板を駆動する介護ベッドへの追従性を高め、人体の左右への動きの規制を高める。
【図面の簡単な説明】
【００２４】
【図１】本発明第１実施形態の介護ベッドの三次元網状構造体の斜視図である。
【図２】該三次元網状構造体の斜視図（寸法符号を示すもの）である。
【図３】該三次元網状構造体の第１立体疎密構造を示す分解斜視図である。
【図４】該三次元網状構造体の第２立体疎密構造を示す分解斜視図である。
【図５】本発明第２実施形態の介護ベッドの三次元網状構造体の斜視図である。
【図６】該介護ベッドの変更形態である三次元網状構造体の正面図である。
【図７】本発明第３実施形態の介護ベッドの三次元網状構造体の斜視図である。
【図８】該三次元網状構造体の斜視図（寸法符号を示すもの）である。
【図９】該三次元網状構造体の第１立体疎密構造を示す分解斜視図である。
【図１０】該三次元網状構造体の第２立体疎密構造を示す分解斜視図である。
【図１１】該三次元網状構造体の第３立体疎密構造を示す分解斜視図である。
【図１２】本発明第４実施形態の介護ベッドの三次元網状構造体の斜視図である。
【図１３】該三次元網状構造体の斜視図（寸法符号を示すもの）である。
【図１４】該三次元網状構造体の第１立体疎密構造を示す分解斜視図である。
【図１５】該三次元網状構造体の第２立体疎密構造を示す分解斜視図である。
【図１６】該三次元網状構造体の第３立体疎密構造を示す分解斜視図である。
【図１７】本発明第４実施形態の介護ベッドの三次元網状構造体の使用状態を示す斜視図である。
【発明を実施するための形態】
【００２５】
第１実施形態の三次元網状構造体１０１は、介護ベッドのマットレスの中材として適用したものである。この三次元網状構造体１０１は、熱可塑性樹脂のフィラメントを不規則に接点で接触絡合させたカール状のスプリング構造を有し、線径φ０．１〜２．０ｍｍ、嵩密度０．０１〜０．１５ｇ／ｃｍ３である。三次元網状構造体１０１の横幅Ｍは６０〜２００ｃｍ、長さＬは９０〜２２０ｃｍ、厚さは１０〜１００ｃｍである。
【００２６】
三次元網状構造体１０１は、図１〜図４に示す通り、押出方向Ｙに疎の構成単位１ａ１〜１ａ９と密の構成単位１ｂ１〜１ｂ８とを繰り返し設ける第１立体疎密構造１を有し、この第１立体疎密構造１において、疎の構成単位１ａ１〜１ａ９の嵩密度δ１は０．０１〜０．０８ｇ／ｃｍ３、密の構成単位１ｂ１〜１ｂ８の嵩密度δ２は０．０３〜０．１０ｇ／ｃｍ３、疎の構成単位１ａ１〜１ａ９に対する密の構成単位１ｂ１〜１ｂ８の嵩密度の比率δ２／δ１が１．０１〜５、疎の構成単位１ａ１〜１ａ９の長さＡ１は１〜３０ｃｍ、密の構成単位１ｂ１〜１ｂ８の長さＡ２は３〜３０ｃｍ、疎の構成単位１ａ１〜１ａ９に対する密の構成単位１ｂ１〜１ｂ８の長さの比率Ａ２／Ａ１が０．５〜３である。
【００２７】
三次元網状構造体１０１は、図１〜図４に示す通り、厚さ方向Ｚに疎の構成単位２ｃと密の構成単位２ｄ１，２ｄ２とを繰り返し設ける第２立体疎密構造２を有し、介護ベッドの中材に適用した場合、第２立体疎密構造２において、疎の構成単位の嵩密度は０．０１〜０．０８ｇ／ｃｍ３、密の構成単位の嵩密度δ４は０．０３〜０．１０ｇ／ｃｍ３、疎の構成単位に対する密の構成単位の嵩密度の比率δ４／δ３が１．０１〜５、好ましくは、１．１〜４、特に好ましくは、１．１５〜２、疎の構成単位の厚さは０．５〜１０ｃｍ、密の構成単位の厚さは２〜３０ｃｍ、疎の各々の構成単位に対する密の構成単位２ｄの厚さの比率Ｂ２／Ｂ１が０．２〜６０である。前記第１立体疎密構造及び前記第２立体疎密構造により、疎の構成単位同士による複数の交差立体領域を有する三次元網状構造体を備えるので、三次元網状構造体１０１の介護ベッドの駆動底板に対する追従性が高くなる。
【００２８】
三次元網状構造体１０１は、図４に示す通り、第１立体疎密構造１及び第２立体疎密構造２の疎の構成単位同士により、複数の疎の交差立体領域４のうち、嵩密度の小さい領域４ａ１〜４ａ９を備え、当該領域の嵩密度は、構成単位２ｄ１,２ｄ２、及び、複数の疎の交差立体領域４のうち、領域４ａ１〜４ａ９に挟まれた領域４ｂ１〜４ｂ８よりも小さくなる。上記は３層の場合であるが、疎密を２層とする場合でも適用できるし、４層以上でもよい。
【００２９】
三次元網状構造体の詳細な製造方法は日本国特許第４３５０２８６号、Ｕ．Ｓ．Ｐａｔｅｎｔ  Ｎｏ．７，６２５，６２９等、特許出願人の公報を参照されたい。第１立体疎密構造は、基本的にはローラー又はキャタピラの速度を可変とすることで、疎密が形成される。また、第２立体疎密構造と、第３立体疎密構造は口金の孔の単位面積当たりの数の密度及び／又は径の大きさを調整することにより、疎密が形成される。
【００３０】
第２実施形態の介護ベッドの三次元網状構造体２０１について図５を参照して説明する。この三次元網状構造体２０１は基本的には三次元網状構造体１０１と同様の構成を備えるので、共通する説明は第１実施形態の図示及び記載を援用するとともに、相違点を説明する。第２実施形態では、第１実施形態の第２立体疎密構造２の疎の構成単位２ｃ、密の構成単位２ｄ１，２ｄ２の厚さ方向Ｚの位置の構成を変更し、疎の構成単位２ｃ１，２ｃ２、密の構成単位２ｄとし、粗密の位置を入れ替えたものである。第２実施形態では、密の構成単位２ｄが中間層となり、疎の構成単位２ｃ１，２ｃ２を表面層側に備えるものである。疎の構成単位２ｃ１，２ｃ２を表面層としたのは、介護ベッドへの追従性を高めるためである。密の構成単位２ｄが中間層となるのは、疎の構成単位２ｃ１のフィラメントの融着部分の剥離を防止するとともに、介護ベッドへの追従性を高める。
【００３１】
三次元網状構造体２０１は、図５に示す通り、厚さ方向Ｚに疎の構成単位２ｃ１，２ｃ２と密の構成単位２ｄとを設ける第２立体疎密構造２を有し、この第２立体疎密構造２において、疎の構成単位２ｃの嵩密度δ３は０．０１〜０．０８ｇ／ｃｍ３、密の構成単位２ｄの嵩密度δ４は０．０３〜０．１０ｇ／ｃｍ３、疎の構成単位２ｃ１，２ｃ２に対する密の構成単位２ｄの嵩密度の比率δ４／δ３が１．０１〜５、好ましくは、１．１〜４、特に好ましくは、１．１５〜２、疎の構成単位２ｃ１，２ｃ２の厚さＢ１は０．５〜１０ｃｍ、密の構成単位２ｄの厚さＢ２は２〜３０ｃｍ、疎の各々の構成単位２ｃ１，２ｃ２のそれぞれに対する密の構成単位２ｄの厚さの比率Ｂ２／Ｂ１が０．２〜６０である。表面層側を疎に構成し、中間層を密に構成するので、適切な嵩密度の範囲であれば、三次元網状構造体１０１が曲がりやすくなる。以上は３層の場合であるが、疎密を２層とする場合でも適用できるし、４層以上でもよい。  
【００３２】
第２実施形態の三次元網状構造体２０１の変更形態である三次元網状構造体２０１’は、図６に示す通り、介護ベッドへの追従性を高めるため、密の構成単位２ｄの上面と下面に、それぞれ、密の構成単位２ｄ１，２ｄ２を含んで設け、構成単位２ｄ１，２ｄ２の嵩密度を、構成単位２ｄ１，２ｄ２により上下に挟まれた中間層の嵩密度よりも高い高密度層としたものである。構成単位２ｄ１，２ｄ２は密の構成単位２ｄの両側に設けてもよいし、片方のみを設けてもよい。
【００３３】
第３実施形態の介護ベッドの三次元網状構造体３０１について図７〜図１１を参照して説明する。この三次元網状構造体３０１は基本的には三次元網状構造体２０１と同様の構成を備えるので、共通する説明は第２実施形態の図示及び記載を援用するとともに、相違点を説明する。相違点としては、第２実施形態の三次元網状構造体に、第３立体疎密構造３を追加形成したものである。ここでは第２実施形態を基本としたが、第１実施形態に対して適用できる。Ｘ方向に沿って、口金のノズル孔の孔径の変更及び／又は孔数を増減することで、第３立体疎密構造を設ける。
【００３４】
三次元網状構造体３０１は、押出方向Ｙに対して直交する方向Ｘに疎の構成単位３ｅと密の構成単位３ｆ１，３ｆ２とを繰り返し設ける第３立体疎密構造３を有する。この第３立体疎密構造３において、疎の構成単位３ｅの嵩密度δ５が０．００９〜０．０８ｇ／ｃｍ３、密の構成単位３ｆ１，３ｆ２の嵩密度δ６が０．０１２８〜０．１０ｇ／ｃｍ３、疎の構成単位３ｅの嵩密度δ５に対する密の構成単位３ｆ１，３ｆ２の嵩密度の比率δ６／δ５が１．０１〜５、好ましくは、１．０３〜４、１．０５〜３である。疎の構成単位３ｅの幅Ｃ１は４０〜１００ｃｍ、密の構成単位３ｆ１，３ｆ２の各々の幅Ｃ２は４〜３０ｃｍ、疎の構成単位３ｅに対する、各々の密の構成単位３ｆ１，３ｆ２の幅の比率Ｃ２／Ｃ１が０．０２〜３０である。
【００３５】
介護ベッドへの追従性を高める上に、三次元網状構造体３０１が人体を両側から挟んで人体の横への動きを規制することができる。
【００３６】
第４実施形態の介護ベッドの三次元網状構造体４０１について図１２〜図１７を参照して説明する。この三次元網状構造体４０１は基本的には三次元網状構造体３０１と同様の構成を備えるので、共通する説明は第３実施形態の図示及び記載を援用するとともに、相違点を説明する。相違点としては、第３実施形態の三次元網状構造体の第３立体疎密構造３に疎の別の構造を追加構成したものである。ここでは第３実施形態を基本としたが、第１実施形態に対して適用できることは当然である。
【００３７】
三次元網状構造体４０１は、押出方向Ｙに対して直交する方向Ｘに疎の構成単位３ｅ１，３ｅ２，３ｅ３と密の構成単位３ｆ１，３ｆ２とを繰り返し設ける第３立体疎密構造３を有する。この第３立体疎密構造３において、疎の構成単位３ｅ１，３ｅ２， ３ｅ３の嵩密度δ５が０．００９〜０．０７ｇ／ｃｍ３、密の構成単位３ｆ１， ３ｆ２の嵩密度δ６が０．０１２８〜０．０９ｇ／ｃｍ３、疎の構成単位３ｅ１，３ｅ２に対する嵩密度は、疎の構成単位 ３ｅ３よりも小さく設定される。疎の構成単位３ｅ１，３ｅ２， ３ｅ３の嵩密度δ５に対する密の構成単位３ｆ１， ３ｆ２の嵩密度δ６の比率δ６／δ５が１．０１〜５、好ましくは、１．０３〜４、１．０５〜３である。疎の構成単位３ｅ１，３ｅ２， ３ｅ３の合計の幅Ｃ１は４０〜１００ｃｍ、疎の構成単位３ｅ１，３ｅ２は、疎の構成単位３ｅ３よりも狭く設定される。密の構成単位３ｆ１，３ｆ２の各々の幅Ｃ２は４〜３０ｃｍ、疎の各々の構成単位３ｅ１，３ｅ２， ３ｅ３の合計値に対する、各々の密の構成単位３ｆ１，３ｆ２の幅の比率Ｃ２／Ｃ１が０．０２〜３０である。
【００３８】
図１７に示す通り、一例として、介護ベッドの三次元網状構造体４０１が人体を両側から挟んで人体の横への動きを規制することができる。
【実施例１】
【００３９】
ポリエチレンを材料とする、介護ベッドの三次元網状構造体を製造するのに使用した押出機、引取機の諸条件を説明する。スクリュー径９０ｍｍの押出機で、第２立体疎密構造に対応するキャピラリー径（ノズル径）φ１．６ｍｍ、厚み８０ｍｍ、幅８３ｃｍ、長さ１９５ｃｍの三次元網状構造体を製造した。スクリューの回転数４４．０ｒｐｍ（押し出し量毎時約１２５ｋｇ）のとき、三次元網状構造体が良好に曲がる引き取り速度および嵩密度を範囲で示すと、引取機の引き取り速度が第１立体疎密構造に対応させて、密の構成単位の場合には、８．９３ｍｍ／ｓｅｃで、疎の構成単位の場合には、９．８０ｍｍ／ｓｅｃが例示される。引き取り速度の制御により、第１立体疎密構造を設ける。表面層を設ける場合、三次元網状構造体が良好に曲がる表面層の嵩密度およびフィラメントの径の範囲は、嵩密度が０．０５ｇ／ｃｍ３、フィラメントの径がφ０．７ｍｍとなった。この嵩密度およびフィラメントの径の組み合わせであれば、ノズル径やノズル穴数等により厚み方向における嵩密度を変化させることにより、三次元網状構造体に第２立体疎密構造を設ける。【００４０】
上記三次元網状構造体では、第１立体疎密構造は、押出方向に５ｃｍ間隔で、嵩密度０．０５０ｇ／ｃｍ３の疎の構成単位と嵩密度０．０５５ｇ／ｃｍ３の密の構成単位が繰り返し設けられている。第２立体疎密構造は、厚さ方向において、嵩密度０．０４８ｇ／ｃｍ３の疎の構成単位が厚さ２ｃｍで表面層に設けられ、続いて嵩密度０．０５４ｇ／ｃｍ３の密の構成単位が厚さ６ｃｍで設けられている。本発明の三次元網状構造体をマットレス（ポリエチレン）に適用し、このマットレスのベッドへの追従性の確認試験を行った。マットレスのベッドへの追従性の測定は、株式会社プラッツのベッド（Ｐ１００−３）を使用した。ベッドは、背部および腰部の２か所それぞれで角度調整が可能なものであり、背部の角度を４０度、腰部の角度を２０度に設定し、腰の部分でのベッドの駆動底板とマットレス底面の垂直距離を測定した。本発明の三次元網状構造体のマットレスでは、介護ベッドの駆動底板からマットレス底面までの垂直距離の最大値が４．６ｃｍとなり、距離が少なくなることで、追従性が向上する。第３立体疎密構造を設け、押出方向に対して直交する方向Ｘにおいて、嵩密度０．０８０ｇ／ｃｍ３の密の構成単位が６ｃｍで両端に、その間に嵩密度０．０５３ｇ／ｃｍ３の疎の構成単位が７１ｃｍで設けられている構造体において、フランスベッド株式会社、ＦＢ６４０を使用し、ＸＹＺ方向への追従性を確認し、同様の結果を得られた。【００４１】
[比較例１]
実施例１と同じ寸法のポリエチレンの三次元網状構造体のマットレスについて、マットレスの長手方向Ｙにおいて、頭部分６５ｃｍの嵩密度が０．０５０ｇ／ｃｍ３、頭部分に続く腰部分６５ｃｍの嵩密度が０．０５５ｇ／ｃｍ３、腰部分に続く足部分６５ｃｍの嵩密度が０．０５０ｇ／ｃｍ３であった。製造条件は引き取り速度の制御は実施例1と同一であり、口金の孔の密度は均一である。株式会社プラッツのベッド（Ｐ１００−３）を使用して、マットレスのベッドへの追従性の確認試験を行った。この三次元網状構造体のマットレスでは、介護ベッドの駆動底板からマットレス底面までの垂直距離の最大値が６ｃｍであり、実施例１よりも１．４ｃｍ大きく、追従性が劣る。
【産業上の利用可能性】
【００４２】
本発明の三次元網状構造体はモータによって駆動底板が駆動する介護ベッドに用いられる。
【符号の説明】
【００４３】
１・・・立体疎密構造
１ａ１〜１ａ９・・・構成単位
１ｂ１〜１ｂ８・・・構成単位
２・・・立体疎密構造
２ｃ・・・構成単位
２ｃ１，２ｃ２・・・構成単位
２ｄ・・・構成単位
２ｄ１，２ｄ２・・・構成単位
３・・・立体疎密構造
３ｅ１，３ｅ２・・・構成単位
３ｆ１〜３ｆ３・・・構成単位
４ａ１〜４ａ９・・・領域
４ｂ１〜４ｂ８・・・領域
１０１・・・三次元網状構造体
２０１・・・三次元網状構造体
２０１’・・・三次元網状構造体
３０１・・・三次元網状構造体
４０１・・・三次元網状構造体
５０１・・・三次元網状構造体
【要約】
熱可塑性樹脂から構成される三次元網状構造体を有する介護ベッドを、ベッド本体の複雑な動きや、使用者の特定の動きに対応させて、円滑に多段階に曲げることを目的とする。三次元網状構造体１０１は、押出方向Ｙに疎の構成単位１ａ１〜１ａ９と密の構成単位１ｂ１〜１ｂ８とを繰り返し設ける第１立体疎密構造１を有し、この第１立体疎密構造１において、疎の構成単位１ａ１〜１ａ９の嵩密度δ１は０．０１〜０．０８ｇ／ｃｍ３、密の構成単位１ｂ１〜１ｂ８の嵩密度δ２は０．０３〜０．１０ｇ／ｃｍ３、疎の構成単位１ａ１〜１ａ９に対する密の構成単位１ｂ１〜１ｂ８の嵩密度の比率δ２／δ１が１．０１〜５、疎の構成単位１ａ１〜１ａ９の長さＡ１は１〜５０ｃｍ、密の構成単位１ｂ１〜１ｂ８の長さＡ２は３〜６０ｃｍ、疎の構成単位１ａ１〜１ａ９に対する密の構成単位１ｂ１〜１ｂ８の長さの比率Ａ２／Ａ１が０．１〜１０である。【図１】
0006535946.tif 000002
【図２】
0006535946.tif 000003
【図３】
0006535946.tif 000004
【図４】
0006535946.tif 000005
【図５】
0006535946.tif 000006
【図６】
0006535946.tif 000007
【図７】
0006535946.tif 000008
【図８】
0006535946.tif 000009
【図９】
0006535946.tif 000010
【図１０】
0006535946.tif 000011
【図１１】
0006535946.tif 000012
【図１２】
0006535946.tif 000013
【図１３】
0006535946.tif 000014
【図１４】
0006535946.tif 000015
【図１５】
0006535946.tif 000016
【図１６】
0006535946.tif 000017
【図１７】
0006535946.tif 000018